(57)【要約】      （修正有）【課題】柔軟性を有するシート部材を容易に収納することが可能な記録装置を提供する。【解決手段】記録装置１は、記録部１２と排出部１７と媒体受け部５０を備える。媒体受け部５０は、柔軟性を有し、先端部６６が末端部６５よりも被記録媒体（記録済媒体Ｒ４）の排出側にあるシート部６０と、収納位置Ｌ１と使用位置Ｌ２とを通るスライド方向Ｄ１へスライド可能な基部５２を有し該基部５２から排出側へ延出してシート部の先端部６６を保持する先端保持部７２と、シート部において先端部６６と末端部６５との間にある接続部６４と基部５２とを繋ぐ繋ぎ部７４と、を備える。先端保持部７２の基部５２が使用位置Ｌ２から収納位置Ｌ１の方へスライドするとき、シート部の先端部６６が該シート部の末端部６５に近付き、且つ、シート部の接続部６４が排出側とは反対側（筐体１０側）へ移動する。【選択図】図１
2015189559.tif 000002
【特許請求の範囲】
【請求項１】
被記録媒体に記録を行う記録部と、
記録済の前記被記録媒体を排出する排出部と、
排出された前記被記録媒体を受ける媒体受け部と、を備え、
該媒体受け部は、
柔軟性を有し、先端部が末端部よりも前記被記録媒体の排出側にあるシート部と、
収納位置と使用位置とを通るスライド方向へスライド可能な基部を有し、該基部から
前記排出側へ延出して前記シート部の先端部を保持する先端保持部と、
前記シート部において前記先端部と前記末端部との間にある接続部と前記基部とを繋
ぐ繋ぎ部と、を備え、
前記先端保持部の基部が前記使用位置から前記収納位置の方へスライドするときに、前
記シート部の先端部が該シート部の末端部に近付き、且つ、前記シート部の接続部が前記
排出側とは反対側へ移動する、記録装置。
【請求項２】
前記媒体受け部は、
前記シート部の末端部を保持する末端保持部と、
前記シート部において前記接続部と前記末端部との間にある第二接続部を保持する第
二接続部保持部を備え、
前記先端保持部の基部が前記使用位置から前記収納位置の方へスライドするときに、前
記第二接続部保持部と前記末端保持部との位置関係が維持される、請求項１に記載の記録
装置。
【請求項３】
前記シート部は、前記排出部から排出されて下がる被記録媒体の先端部が前記第二接続
部と前記末端部との間で接触する傾斜面を有し、
該傾斜面は、前記第二接続部から前記末端部に向かって下がっている、請求項２に記載
の記録装置。
【請求項４】
前記媒体受け部は、前記先端保持部の延出方向と前記スライド方向とのなす角度θが変
わる傾動機構を備え、
前記先端保持部の基部が前記収納位置にあるときの前記角度θは、前記先端保持部の基
部が前記使用位置にあるときの前記角度θよりも小さい、請求項１〜請求項３のいずれか
一項に記載の記録装置。
【請求項５】
前記スライド方向に向いたレールを備え、
前記先端保持部の基部は、前記レールに対してスライド可能に取り付けられ、
前記傾動機構は、前記シート部の先端部が該シート部の末端部に近付くほど前記基部を
中心とした前記角度θを小さくする、請求項４に記載の記録装置。
【請求項６】
前記排出部が設けられた筐体と、
該筐体を支持する脚部と、を備え、
前記先端保持部の基部は、前記脚部に対してスライド可能に設けられている、請求項１
〜請求項５のいずれか一項に記載の記録装置。
【発明の詳細な説明】
【技術分野】
【０００１】
本発明は、記録装置に関する。
【背景技術】
【０００２】
インクジェットプリンターには、比較的大型のサイズの被記録媒体、例えば、日本工業
規格（ＪＩＳ）のＡ０判やＡ１判等の幅のロール紙に印刷を行う大型のプリンターがある
。このようなインクジェットプリンター等の記録装置には、ロール紙から繰り出した記録
紙を印刷し切断して排出口から排出し、該記録紙を排出口下方に落下させるものがある。
印刷物をスタックする構造物して、例えば、柔軟性を有するシート部材を弛ませて枠部材
に取り付けたバスケットが用いられる。
また、特許文献１に示されるインクジェットプリンターは、柔軟性を有するシート部材
と、このシート部材の端部を係止可能な複数の係止部材と、を有している。シート部材は
、矩形状に形成され、両端部及びその中間部が複数のシャフトにそれぞれ沿って係留され
ている。各係止部材は、各シャフトの軸が平行となるように各シャフトの端部を係止可能
である。
【先行技術文献】
【特許文献】
【０００３】
【特許文献１】特開２００２−２０５８６２号公報
【発明の概要】
【発明が解決しようとする課題】
【０００４】
シート部材を弛ませて枠部材に取り付けたバスケットを収納する場合、枠部材を収納し
てもシート部材の余りが収納されないため、このシート部材の余りを手で収納する必要が
ある。
なお、上記のような問題は、インクジェットプリンターに限らず、種々の記録装置につ
いて同様に存在する。
【０００５】
以上を鑑み、本発明の目的の一つは、柔軟性を有するシート部材を容易に収納すること
が可能な記録装置を提供することにある。
【課題を解決するための手段】
【０００６】
本発明の態様の一つとして、本発明の記録装置は、被記録媒体に記録を行う記録部と、
記録済の前記被記録媒体を排出する排出部と、
排出された前記被記録媒体を受ける媒体受け部と、を備え、
該媒体受け部は、
柔軟性を有し、先端部が末端部よりも前記被記録媒体の排出側にあるシート部と、
収納位置と使用位置とを通るスライド方向へスライド可能な基部を有し、該基部から
前記排出側へ延出して前記シート部の先端部を保持する先端保持部と、
前記シート部において前記先端部と前記末端部との間にある接続部と前記基部とを繋
ぐ繋ぎ部と、を備え、
前記先端保持部の基部が前記使用位置から前記収納位置の方へスライドするときに、前
記シート部の先端部が該シート部の末端部に近付き、且つ、前記シート部の接続部が前記
排出側とは反対側へ移動する、態様を有する。
【０００７】
すなわち、媒体受け部の先端保持部の基部が使用位置から収納位置の方へスライドする
と、該先端保持部に保持されるシート部の先端部が該シート部の末端部に近付く。また、
シート部において繋ぎ部により基部に繋がった接続部が被記録媒体の排出側とは反対側へ
移動する。これにより、シート部の余りが収納位置からはみ出ることが抑制される。従っ
て、本態様は、柔軟性を有するシート部を容易に収納することが可能な記録装置を提供す
ることができる。
【０００８】
さらに、本発明は、記録装置を含む複合装置、上述した各部に対応した工程を含む記録
方法、この記録方法を含む複合装置用の処理方法、上述した各部に対応した機能をコンピ
ューターに実現させる記録プログラム、この記録プログラムを含む複合装置用の処理プロ
グラム、これらのプログラムを記録したコンピューター読み取り可能な媒体、等に適用可
能である。前述の装置は、分散した複数の部分で構成されてもよい。
【図面の簡単な説明】
【０００９】
【図１】スタッカー（媒体受け部）５０を収納する様子を模式的に例示する図。
【図２】記録装置１の外観を例示する斜視図。
【図３】記録装置１の内部を例示する縦断面図。
【図４】スタッカー５０を収納した状態の記録装置１を例示する縦断面図。
【図５】スタッカー５０を例示する底面図。
【図６】レール４５及びスタッカー５０の要部を例示する正面図。
【図７】傾動機構７５を例示する正面図。
【図８】スタッカー５０に記録済媒体Ｒ４が収容された様子を模式的に例示する図。
【図９】（ａ）〜（ｄ）はシート部材（シート部）６０の湾曲状態及び屈曲状態を模式的に例示する側面図。
【図１０】変形例において記録装置１の内部を示す縦断面図。
【図１１】変形例においてスタッカー５０を収納した状態の記録装置１を示す縦断面図。
【図１２】比較例においてスタッカー９５０を収納する様子を模式的に示す図。
【発明を実施するための形態】
【００１０】
以下、本発明の実施形態を説明する。むろん、以下の実施形態は本発明を例示するもの
に過ぎず、実施形態に示す特徴の全てが発明の解決手段に必須になるとは限らない。
【００１１】
（１）本技術の概要：
まず、図１〜１１を参照して本技術の概要を説明する。
【００１２】
図１〜１１に例示する本技術の記録装置１は、被記録媒体Ｒ３に記録を行う記録部１２
と、記録済の前記被記録媒体Ｒ３（以下、記録済媒体Ｒ４と記載。）を排出する排出部１
７と、排出された前記記録済媒体Ｒ４を受ける媒体受け部（スタッカー５０）と、を備え
る。該媒体受け部（５０）は、柔軟性を有し、先端部６６が末端部６５よりも前記記録済
媒体Ｒ４の排出側にあるシート部（シート部材６０）と、収納位置Ｌ１と使用位置Ｌ２と
を通るスライド方向Ｄ１へスライド可能な基部５２を有し、該基部５２から前記排出側へ
延出して前記シート部（６０）の先端部６６を保持する先端保持部７２と、前記シート部
（６０）において前記先端部６６と前記末端部６５との間にある接続部６４と前記基部５
２とを繋ぐ繋ぎ部（紐７４）と、を備える。ここで、排出側とは、排出部での被記録媒体
が排出される方向の前方側である。前記先端保持部７２の基部５２が前記使用位置Ｌ２か
ら前記収納位置Ｌ１の方へスライドするとき、前記シート部（６０）の先端部６６が該シ
ート部（６０）の末端部６５に近付き、且つ、前記シート部（６０）の接続部６４が前記
排出側とは反対側（筐体１０側）へ移動する。
【００１３】
ここで、本技術を図１２に示すスタッカー９５０と比較する。ここで、図１２に示す比
較例は、図１〜９に示す例から繋ぎ部（７４）が無いと仮定した仮想の例であり、実在の
先行技術を表す例ではない。
図１２に示す使用状態Ｓ１において傾動機構７５から係止部７２ｄ（又は係止部７２ｅ
）を外し、枠状の先端保持部７２を筐体１０側へ押すと、基部５２が使用位置Ｌ２から収
納位置Ｌ１の方へスライドする。中間状態Ｓ２及び収納状態Ｓ３を示したように、枠状の
先端保持部７２を収納してもシート部材６０の余り（湾曲部６２）が収納されない。この
ため、比較例は、シート部材６０の余りを手で収納する必要がある。この対策のためシー
ト部材を巻き取るためのシャフト、及び、このシャフトを支持するフックを設けると、ス
タッカーの構造が複雑となり、収納時にシート部材を巻き取る作業に手間がかかる。
【００１４】
一方、本技術においては、図１に示すように、媒体受け部（５０）の先端保持部７２の
基部５２が使用位置Ｌ２から収納位置Ｌ１の方へスライドすると、該先端保持部７２に保
持されるシート部（６０）の先端部６６が該シート部（６０）の末端部６５に近付く。ま
た、シート部（６０）において繋ぎ部（７４）により基部５２に繋がった接続部６４が先
端保持部７２と連動して記録済媒体Ｒ４の排出側とは反対側（筐体１０側）へ移動し、シ
ート部（６０）がまとめられる。これにより、シート部（６０）の余り（湾曲部６２）が
収納位置からはみ出ることが抑制される。従って、本技術は、柔軟性を有するシート部（
６０）を収納する手間を省くことができ、シート部（６０）を容易に収納することが可能
となる。
【００１５】
ここで、上記記録装置１には、インクジェットプリンター、ワイヤドットプリンター、
レーザープリンター、ラインプリンター、複写機、ファクシミリ、等が含まれる。
上記記録済媒体Ｒ４には、記録が行われずに記録部１２を通過した被記録媒体Ｒ３も含
まれる。
【００１６】
ところで、前記媒体受け部（５０）は、前記シート部（６０）の末端部６５を保持する
末端保持部７１を備えてもよい。また、前記媒体受け部（５０）は、前記シート部（６０
）において前記接続部６４と前記末端部６５との間にある第二接続部６３を保持する第二
接続部保持部７３を備えてもよい。さらに、前記先端保持部７２の基部５２が前記使用位
置Ｌ２から前記収納位置Ｌ１の方へスライドするときに、前記第二接続部保持部７３と前
記末端保持部７１との位置関係が維持されてもよい。本態様は、第二接続部保持部７３と
前記末端保持部７１との位置関係が維持されたうえで、シート部（６０）において第二接
続部６３よりも排出側にある接続部６４が排出側とは反対側へ移動する。従って、本態様
は、柔軟性を有するシート部（６０）を好適に収納することが可能となる。
なお、接続部６３と排出部１７との位置関係を対比するとき、排出部１７は図３に示す
ように排出方向Ｄ４において最も出た部位を基準とする。
【００１７】
前記シート部（６０）は、前記排出部１７から排出されて下がる記録済媒体Ｒ４の先端
部Ｒ５が前記第二接続部６３と前記末端部６５との間で接触する傾斜面６１ａを有しても
よい。該傾斜面６１ａは、前記第二接続部６３から前記末端部６５に向かって下がっても
いてもよい。この態様において、排出部１７から排出されて下がる記録済媒体Ｒ４は、先
端部Ｒ５が傾斜面６１ａに接触して第二接続部６３よりも低い末端部６５の方へ誘導され
る。そのうえでシート部（６０）に記録済媒体Ｒ４がスタックされるので、長尺の記録済
媒体Ｒ４の場合でもシート部（６０）からはみ出た後端部Ｒ６が床に接触し難くなる。従
って、本態様は、記録済媒体Ｒ４をより好適にスタック可能することが可能となる。
【００１８】
前記媒体受け部（５０）は、前記先端保持部７２の延出方向Ｄ１０と前記スライド方向
Ｄ１とのなす角度θが変わる傾動機構７５を備えてもよい。また、前記先端保持部７２の
基部５２が前記収納位置Ｌ１にあるときの前記角度θは、前記先端保持部７２の基部５２
が前記使用位置Ｌ２にあるときの前記角度θよりも小さくてもよい。本態様は、基部５２
のスライド方向Ｄ１に近付くように媒体受け部（５０）が収納されるので、柔軟性を有す
るシート部（６０）を備える媒体受け部（５０）を好適に収納することが可能となる。
【００１９】
本記録装置１は、前記スライド方向Ｄ１に向いたレール４５を備えてもよい。前記先端
保持部７２の基部５２は、前記レール４５に対してスライド可能に取り付けられてもよい
。前記傾動機構７５は、前記シート部（６０）の先端部６６が該シート部（６０）の末端
部６５に近付くほど前記基部５２を中心とした前記角度θを小さくしてもよい。本態様は
、シート部（６０）の先端部６６がシート部（６０）の末端部６５に近付くほど先端保持
部７２の延出方向Ｄ１０が基部５２のスライド方向Ｄ１に近付くので、柔軟性を有するシ
ート部（６０）を備える媒体受け部（５０）を好適に収納することが可能となる。
【００２０】
本記録装置１は、前記排出部１７が設けられた筐体１０と、該筐体１０を支持する脚部
４０と、を備えてもよい。前記先端保持部７２の基部５２は、前記脚部４０に対してスラ
イド可能に設けられてもよい。本態様は、脚部４０に対する先端保持部７２の基部５２の
スライド移動に伴って媒体受け部（５０）が収納されるので、脚部４０近傍に媒体受け部
（５０）を収納することが可能となる。
【００２１】
（２）記録装置の具体例：
図１は、スタッカー（媒体受け部）５０を収納する様子を模式的に例示する図であり、
排出部１７を通る鉛直面Ｖ１を二点鎖線で示している。図２は、記録装置１の例として大
型のインクジェットプリンターの外観を示す斜視図である。図３は、筐体１０を断面視し
て記録装置１の内部を例示する縦断面図である。図４は、スタッカー５０を収納位置Ｌ１
に収納した状態の記録装置１を例示する縦断面図である。図５は、スタッカー５０の底面
側を例示する図である。図６は、レール４５及びスタッカー５０の要部を例示する正面図
であり、下段にレール４５を拡大して示している。図７は、傾動機構７５を例示する正面
図であり、下段に側面から見た傾動機構７５の縦断面図を示している。図８は、スタッカ
ー５０に記録済媒体Ｒ４が収容された様子を模式的に例示する図である。
【００２２】
上述した図中、符号Ｄ１は、脚部４０に対する基部５２のスライド方向を示している。
基部５２は、スタッカー５０の先端保持部７２に含まれる。符号Ｄ２は、スライド方向一
方側である離間方向を示している。この離間方向Ｄ２は、シート部材６０の末端部６５に
対する基部５２の離間方向である。符号Ｄ３は、スライド方向他方側である近接方向を示
している。符号Ｄ４は、排出部１７からの記録済媒体Ｒ４の排出方向である。図示の排出
方向Ｄ４はスライド方向Ｄ１と平行であるが、排出方向Ｄ４はスライド方向Ｄ１と平行で
なくてもよい。符号Ｄ７は、排出方向Ｄ４及び鉛直方向に直交する記録装置幅方向を示し
ている。図１，３，４，８は、記録装置１を幅方向Ｄ７の外側から見た図である。符号Ｄ
１０は、先端保持部７２の延出方向である。
【００２３】
なお、分かり易く示すため、各方向の拡大率は異なることがあり、各図は整合していな
いことがある。
また、本明細書で説明する位置関係は、発明を説明するための例示に過ぎず、発明を限
定するものではない。従って、筐体１０の下以外の位置、例えば、上、左、右、といった
位置に給紙ユニット３０が配置されることなども、本発明に含まれる。
さらに、方向や位置等の同一、直交、等は、厳密な同一、直交、等のみを意味するので
はなく、製造時等に生じる誤差等も含む。
【００２４】
上述した図に示す記録装置１は、例えばＪＩＳ規格のＡ０判やＡ１判等といった比較的
大サイズの被記録媒体にも記録可能な大型のインクジェットプリンターである。この記録
装置１は、排出部１７が設けられた筐体１０、該筐体１０を支持する脚部４０、筐体１０
の排出部１７から排出されて下がる記録済媒体Ｒ４を受けるスタッカー５０、を備えてい
る。スタッカー５０は、シート部材６０、該シート部材６０の先端部６６を保持する枠状
の先端保持部７２、傾動機構７５、等を備える。特に、本技術のスタッカー５０は、シー
ト部において先端部６６と末端部６５との間にある接続部６４と基部５２とを繋ぐ繋ぎ部
（紐７４）を備えることを特徴とする。なお、本例のシート部は、シート部材６０の本体
部分を意味し、シート形状に付加される紐６３ａ，６５ａ，７４が含まれないものとする
。先端保持部７２の基部５２は、収納位置Ｌ１と使用位置Ｌ２とを通るスライド方向Ｄ１
へスライド可能とされている。基部５２が使用位置Ｌ２にあるとき、シート部材６０にお
いて第二接続部６３よりも排出側の湾曲部６２には側面から見て下側に凸の向きに湾曲し
た湾曲面６２ａが形成され、第二接続部６３よりも排出側とは反対側（筐体１０側）の傾
斜部６１には記録済媒体Ｒ４の先端部Ｒ５が接触する傾斜面６１ａが形成される。第二接
続部６３は、接続部６４よりも筐体１０側にある。
【００２５】
なお、上述した図に示す記録装置１は、筐体１０の下部に給紙ユニット３０がスライド
可能に設けられ、装置上部奥の第一ロール紙Ｒ１と装置下部の第二ロール紙Ｒ２とを切り
替えて印刷する（記録を行う）ことが可能である。ロール紙は、被記録媒体をロール状に
巻いた連続紙である。両ロール紙Ｒ１，Ｒ２は、外側が印刷面とされている。むろん、繰
り出し機構（媒体支持部）２１，３１の位置を変えると、内側が印刷面とされたロール紙
も使用可能である。ロール紙には、紙、布、プラスチック被記録媒体、皮革、等、種々の
材質の巻回被記録媒体を使用することができる。なお、ロール紙Ｒ１，Ｒ２を被記録媒体
Ｒ３と総称する。
また、図示していないが、記録装置１は、手差しスロットからカット紙を挿入して印刷
し、該印刷されたカット紙を短い記録済媒体Ｒ４として排出部１７から排出してスタッカ
ー５０にスタックすることもできる。
【００２６】
図３に示すように、給紙ユニット３０を有する筐体１０は、制御部１１、記録部１２、
搬送ローラー対（１５，１６）、排出部１７、カッター１８、第一ロール紙用の媒体経路
２０及び給紙機構（２１〜２５）、第二ロール紙用の第一媒体経路２６及び第二媒体経路
３６並びに給紙機構（２７，２８，３１〜３３，３７）、等を備えている。給紙ユニット
３０は、近接方向Ｄ３側の収容位置Ｌ１１と離間方向Ｄ２側の引出位置との間でスライド
可能であり、制御部１１と電気的に接続されている。
【００２７】
制御部１１は、ＣＰＵ（Central Processing Unit）、ＲＯＭ（Read Only Memory）、
ＲＡＭ（Random Access Memory）等を有し、外部のホスト装置から記録出力の指令を受け
取って被記録媒体に印刷する等、記録装置１の各部の動作を制御する。印刷対象の被記録
媒体Ｒ３は、ロール紙Ｒ１，Ｒ２の一方から引き出された部分である。
記録部１２は、記録ヘッド１３とプラテン１４を有している。記録ヘッド１３は、プラ
テン１４と対向する上側に配置され、インクを被記録媒体Ｒ３に対して吐出して記録可能
である。プラテン１４は、被記録媒体Ｒ３を支持し、被記録媒体Ｒ３と記録ヘッド１３と
の間を所定の距離にする。
【００２８】
搬送ローラー対（１５，１６）は、下側に配置された駆動ローラー１５と、上側に配置
された従動ローラー１６とを備える。従動ローラー１６は、駆動ローラー１５から離間可
能であり、近接時に駆動ローラー１５とで被記録媒体Ｒ３を挟持する。
排出部１７から送り出される記録済媒体Ｒ４は、カッター１８で切断されて搬送ローラ
ー対（１５，１６）の挟持から解放されると、スタッカー５０にスタックされる。
【００２９】
第一ロール紙用の給紙機構は、第一ロール紙Ｒ１を支持する繰り出し機構（媒体支持部
）２１、給紙ローラー対（２２，２３）、コロローラー（従動ローラー）２４，２５、等
を備えている。繰り出し機構２１には、排出部１７から排出されて垂れ下がる記録済媒体
Ｒ４が筐体１０側へ曲がる向きにロール紙Ｒ１が装着される。給紙ローラー対（２２，２
３）は、媒体経路２０の外周側に配置された駆動ローラー２２と、媒体経路２０の内周側
に配置された従動ローラー２３とを備える。従動ローラー２３は、駆動ローラー２２から
離間可能であり、近接時に駆動ローラー２２とでロール紙Ｒ１を挟持する。給紙時、繰り
出し機構２１から繰り出されたロール紙Ｒ１を給紙ローラー対（２２，２３）が挟持して
搬送ローラー対（１５，１６）の方へ搬送する。印刷時（記録時）には、搬送ローラー対
（１５，１６）が被記録媒体をプラテン１４上に搬送し、記録ヘッド１３がインクを吐出
して被記録媒体に記録を行う。
【００３０】
第二ロール紙用の給紙機構は、第二ロール紙Ｒ２を支持する繰り出し機構（媒体支持部
）３１、給紙ローラー対（３２，３３）、コロローラー（従動ローラー）２７，２８，３
７、等を備えている。給紙ローラー対（３２，３３）は、第二媒体経路３６の内周側に配
置された駆動ローラー３２と、第二媒体経路３６の外周側に配置された従動ローラー３３
とを備える。従動ローラー３３は、駆動ローラー３２から離間可能であり、近接時に駆動
ローラー３２とでロール紙Ｒ２を挟持する。給紙時、繰り出し機構３１から繰り出された
ロール紙Ｒ２を第二媒体経路３６内の給紙ローラー対（３２，３３）が挟持して第一媒体
経路２６を介して搬送ローラー対（１５，１６）の方へ搬送する。印刷時には、搬送ロー
ラー対（１５，１６）が被記録媒体をプラテン１４上に搬送し、記録ヘッド１３がインク
を吐出して被記録媒体に記録を行う。
【００３１】
脚部４０は、長尺部４１、延出部４２及びキャスター４３，４３を記録装置１の幅方向
Ｄ７の両端部分にそれぞれ有し、筐体１０を支持する。各長尺部４１の長手方向は、図３
に示すように、基部５２のスライド方向に向けられている。各延出部４２は、長尺部４１
の略中間位置から筐体１０まで上方へ延出している。前記キャスター４３，４３は、各長
尺部４１におけるスライド方向Ｄ１の両端部に取り付けられている。
【００３２】
各長尺部４１の幅方向Ｄ７の内側面には、スタッカー５０のスライド方向Ｄ１に向いた
レール４５が取り付けられている。図６に示すように、各レール４５は、長尺部４１に接
する基部４５ｂ、該基部４５ｂの上下の縁部から幅方向Ｄ７の内側へ延出した延出部４５
ｃ，４５ｄ、該延出部４５ｃ，４５ｄの先端縁部から互いに近接する方向へ延出した折返
し部４５ｅ，４５ｆ、を有している。これらの各部４５ｂ〜４５ｆで囲まれた部分は、折
返し部４５ｅ，４５ｆが開口した溝４５ａとされている。
【００３３】
図３に示すように、給紙ユニット３０の排出側には、記録済媒体Ｒ４が給紙ユニット３
０に入り込まないようにするためのガイド部材５５が設けられている。図１の使用状態Ｓ
１に示すように、ガイド部材５５の下部には、傾斜面６１ａに沿って筐体１０側へ誘導さ
れる記録済媒体Ｒ４の先端部Ｒ５の移動を規制する先端規制部５５ａが形成されている。
また、ガイド部材５５において先端規制部５５ａの上側となる部位には、シート部材６０
の末端部６５に設けた引掛部である紐６５ａを留めるための掛止部５５ｂが形成されてい
る。
【００３４】
図５等に示すように、スタッカー（媒体受け部）５０を構成する枠状の先端保持部７２
は、長手方向を幅方向Ｄ７に向けた基部５２、幅方向Ｄ７の両側部分に配置された側部７
２ａ，７２ａ、該側部７２ａ，７２ａの基部５２とは反対側の端部を連結する架橋部７２
ｃ、を有している。基部５２は、長手方向を幅方向Ｄ７に向けた架橋部５２ａ、この架橋
部５２ａの両端部に設けられたスライダー５３，５３、を有している。架橋部５２ａには
、シート部材６０の最下部６７に設けられた紐（繋ぎ部）７４を留めるための掛止部５２
ｂが設けられている。なお、架橋部５２ａ，７２ｃは、長手方向を幅方向Ｄ７に向けた棒
状又は筒状の部位である。側部７２ａは、長手方向を幅方向Ｄ７に略直交する方向に向け
た棒状又は筒状の部位であり、図７に示すように傾動機構７５の挿通部７５ａを通り抜け
、スライダー５３，５３を通る回転軸５４を中心として回動可能とされている。
【００３５】
スライダー５３は、レール４５の溝４５ａに対して回転可能に挿入され、この溝４５ａ
に案内されて離間方向Ｄ２及び近接方向Ｄ３へスライド移動する。従って、先端保持部７
２の基部５２は、レール４５に対してスライド可能に取り付けられ、脚部４０に対してス
ライド可能に設けられていることになる。スライダー５３，５３を通る回転軸５４は、ス
タッカー５０の回動の中心軸となる。傾動機構７５は、シート部材６０の先端部６６がシ
ート部材６０の末端部６５に近付くほど基部５２を中心とした角度θを小さくする。
【００３６】
図７に示すように、側部７２ａには、傾動機構７５の係合部７５ｅと係合させるための
係止部７２ｄ，７２ｅが設けられている。図３は、排出側の係止部７２ｄと傾動機構７５
とが係合したときのスタッカー５０の様子を示している。筐体１０側の係止部７２ｅと係
合部７５ｅとが係合すると、先端保持部７２の延出方向Ｄ１０とスライド方向Ｄ１とのな
す角度は、図３に示す角度θよりも大きくなる。いずれにしても、図３に示すように基部
５２が使用位置Ｌ２にあるとき、傾動機構７５により側部７２ａが基部５２から排出側に
向かって上がる状態に保持される。一方、図４に示すように基部５２が収納位置Ｌ１にあ
るとき、傾動機構７５により側部７２ａはスライド方向Ｄ１に近い向きに保持される。
排出側の架橋部７２ｃは、シート部材６０の先端部６６に形成された挿通部６６ａに通
される。これにより、シート部材の先端部６６が先端保持部７２に保持され、基部５２が
使用位置Ｌ２にあるときに先端部６６が第二接続部６３よりも高い位置となる。
【００３７】
図７に示すように、傾動機構７５は、外側部材７５ｂと内側部材７５ｃとが合わされ、
スライド方向Ｄ１に沿った鉛直面内での回動を許容するように側部７２ａを通す挿通部７
５ａが形成されている。傾動機構７５があることにより、先端保持部７２の延出方向Ｄ１
０と基部５２のスライド方向Ｄ１とのなす角度θが変わる。図４に示すように基部５２が
収納位置Ｌ１にあるときの角度θは、図３に示すように基部５２が使用位置Ｌ２にあると
きの角度θよりも小さい。傾動機構７５の排出側の端部には、側部７２ａの係止部７２ｄ
，７２ｅと係合する係合部７５ｅが設けられている。内側部材７５ｃの上面には、シート
部材６０の第二接続部６３の両縁部に設けた引掛部である紐６３ａを留めるための掛止部
７５ｄが設けられている。
【００３８】
シート部材６０は、被記録媒体スタック用のバスケットを構成する主要部材であり、布
、ビニール、等の柔軟なシート状の部材で形成される。柔軟性を有するシート部材６０は
、先端部６６が末端部６５よりも記録済媒体Ｒ４の排出側にある。図５に示すように、シ
ート部材６０の先端部６６の挿通部６６ａには、先端保持部７２の架橋部７２ｃが通され
ている。また、シート部材６０には、引掛部である紐６３ａ，６５ａ，７４が設けられて
いる。ここで、シート部材６０の第二接続部６３の両縁部には、該第二接続部６３を幅方
向Ｄ７の外側へ引っ張った状態にするための柔軟性を有する紐６３ａ，６３ａが設けられ
ている。シート部材６０の末端部６５には、該末端部６５をガイド部材の先端規制部５５
ａに合わせて移動しないようにするための紐６５ａが複数設けられている。シート部材６
０において先端部６６と末端部６５との間にある接続部６４には、スタッカー収納時に接
続部６４を筐体１０側へ引くための紐（繋ぎ部）７４が複数設けられている。図５等に示
す接続部６４は湾曲面６２ａの最下部６７に設けられているが、紐７４が設けられる接続
部６４は最下部６７からずれた位置でもよい。
【００３９】
図１に示すように末端部６５に設けられた紐６５ａをガイド部材５５の掛止部５５ｂに
引っ掛けておくとともに、第二接続部６３に設けられた紐６３ａを傾動機構７５の掛止部
７５ｄに引っ掛けておき、基部５２が使用位置Ｌ２となるように先端保持部７２を引き出
すと、柔軟性を有するシート部材６０の一部が紐６３ａ，６３ａを結ぶ線を頂部として「
山形形状」となり、第二接続部６３の前後に傾斜面６１ａ及び湾曲面６２ａが形成される
。この「山形形状」により、記録済媒体の座屈が抑制され、記録済媒体のスタック性及び
スタック量が向上する。ここで、掛止部５５ｂ及び紐６５ａは末端保持部７１を構成し、
掛止部７５ｄ及び紐６３ａは第二接続部保持部７３を構成する。
【００４０】
傾斜面６１ａは、湾曲面６２ａとの接続部分である第二接続部６３から末端部６５に向
かって下がり、側面から見て下側に凸の向きに湾曲している。ここで、傾斜面６１ａの湾
曲が下に凸であるとは、図９（ａ），（ｂ）に例示する側面図のように、傾斜面６１ａが
第二接続部６３と末端部６５とを結ぶ直線ＬＩＮＥ２よりも下側であることを意味する。
【００４１】
湾曲面６２ａは、傾斜面６１ａとの接続部分である第二接続部６３よりも高い先端部６
６を有し、先端部６６と第二接続部６３との間で湾曲が下側に凸の向きである。図１に示
す湾曲面６２ａは、先端部６６と第二接続部６３との間に該第二接続部６３よりも低い最
下部６７を有する。ここで、湾曲面６２ａの湾曲が下に凸であるとは、図９（ａ），（ｂ
）に例示する側面図のように、湾曲面６２ａが第二接続部６３と先端部６６とを結ぶ直線
ＬＩＮＥ１よりも下側であることを意味する。
【００４２】
第二接続部６３は、側面から見て上側に凸の向きに屈曲している。ここで、第二接続部
６３が上側に凸の向きに屈曲しているとは、図９（ｃ），（ｄ）に例示する側面図のよう
に、第二接続部６３の近傍において、傾斜面６１ａと湾曲面６２ａのなす上側の角度θｕ
が傾斜部６１と湾曲部６２のなす下側の角度θｄよりも大きいことを意味する。図１に示
す第二接続部６３は、排出部１７よりも筐体１０側に位置している。
【００４３】
次に、図１〜８を参照して、スタッカー５０に記録済媒体Ｒ４がスタックされる動作を
説明する。
記録済媒体Ｒ４は、排出部１７から排出されると、図３に示すように自重によって垂れ
下がる。ここで、記録済媒体Ｒ４が筐体１０側へ曲がるように被記録媒体Ｒ３が繰り出し
機構２１，３１に支持されているので、図３に示すように排出部１７から垂れ下がる記録
済媒体Ｒ４が筐体１０側へ曲がる。これにより、第二接続部６３が排出部１７よりも筐体
１０側に位置するにもかかわらず、記録済媒体Ｒ４の先端部Ｒ５が傾斜面６１ａに接触す
る。従って、本技術は、湾曲面６２ａを広くすることができ、記録済媒体Ｒ４のスタック
量を増やすことができる。
【００４４】
傾斜面６１ａが第二接続部６３から末端部６５に向かって下がっているので、傾斜面６
１ａに接触した記録済媒体の先端部Ｒ５は、傾斜面６１ａに沿って末端部６５の方へ誘導
される。特に、傾斜面６１ａが下側に凸の向きに湾曲しているので、末端部６５近傍より
も急である第二接続部６３近傍に接触した記録済媒体の先端部Ｒ５が末端部６５の方へ誘
導され易い。従って、記録済媒体の先端部がシート部材に突き当たって記録済媒体が座屈
するようなことが起き難く、記録済媒体が乱雑な状態となることが抑制され、スタック量
の減少が抑制される。なお、先端部Ｒ５の誘導は、先端規制部５５ａにより規制される。
【００４５】
カッター１８が後端部Ｒ６において記録済媒体Ｒ４を切断すると、記録済媒体Ｒ４は、
搬送ローラー対（１５，１６）の挟持から解放され、末端部６５から先端部６６に向かっ
てシート部材６０の上に載せられる。ここで、湾曲面６２ａが下に凸の向きに湾曲してい
るので、より多くの記録済媒体Ｒ４をシート部材６０の上にスタックすることができる。
特に、第二接続部６３よりも低い最下部６７が湾曲面６２ａにあることにより、多くの記
録済媒体Ｒ４をスタックすることができる。また、上側に凸の向きに屈曲している第二接
続部６３を跨いで記録済媒体Ｒ４がスタックされるので、巻き癖による記録済媒体Ｒ４の
丸まりが抑制され、スタック量の減少が抑制される。特に、第二接続部６３よりも低い最
下部６７が湾曲面６２ａにあることにより、記録済媒体Ｒ４の丸まり抑制の効果が向上す
る。
【００４６】
さらに、湾曲面６２ａの先端部６６が第二接続部６３よりも高くされているので、図８
に示すように長尺の記録済媒体Ｒ４の場合でも湾曲面６２ａからはみ出た後端部Ｒ６が床
に接触し難くなり、上側に凸の向きに屈曲している第二接続部６３を跨いでスタックされ
る記録済媒体Ｒ４が崩れ難くなる。
以上より、本記録装置１は、記録済媒体Ｒ４をより好適にスタック可能である。
【００４７】
次に、スタッカー５０が収納されるときの動作、作用、及び、効果を説明する。
図１，３に示す使用状態Ｓ１において傾動機構７５の係合部７５ｅ（図７参照。）から
係止部７２ｄ（又は係止部７２ｅ）を外すと、枠状の先端保持部７２を筐体１０側へ押し
て動かすことができる。これにより、図１に示す中間状態Ｓ２のように先端保持部の基部
５２が使用位置Ｌ２から収納位置Ｌ１の方へスライドしていくとともに、先端保持部７２
が回転軸５４を中心としてスライド方向Ｄ１に沿った向きへ回動しながら収納位置Ｌ１の
方へ移動する。このため、シート部材の先端部６６がシート部材の末端部６５に近付いて
いき、先端保持部７２の延出方向Ｄ１０と基部５２のスライド方向Ｄ１とのなす角度θが
小さくなる。一方、第二接続部保持部７３と末端保持部７１との位置関係が維持される結
果、実質的にシート部材６０における第二接続部６３と末端部６５との位置関係が維持さ
れる。
【００４８】
このとき、シート部材６０において紐７４により基部５２に繋がった接続部６４が枠状
の先端保持部７２と連動して筐体１０側へ移動する。これにより、接続部６４と第二接続
部６３を起点として湾曲部６２が傾斜部６１の下にもぐり込むように折り畳まれていく。
収納状態Ｓ３においては、シート部材６０において先端部６６が末端部６５よりも高い範
囲内で先端保持部７２の延出方向Ｄ１０と基部５２のスライド方向Ｄ１とのなす角度θが
さらに小さくなり、先端保持部７２が筐体１０の下方に収納される。第二接続部保持部７
３と末端保持部７１との位置関係は維持される結果、実質的にシート部材６０における第
二接続部６３と末端部６５との位置関係が維持される。シート部材６０については、接続
部６４を起点として湾曲部６２がさらに収納位置Ｌ１の方へ引き込まれ、折り畳まれた状
態で筐体１０の下方に収納される。このように、シート部材６０の余り（湾曲部６２）が
収納位置からはみ出ることが抑制される。従って、本記録装置１は、柔軟性を有するシー
ト部材６０の余りを手で押し込んで収納する手間が減り、シート部材６０を容易に収納す
ることが可能となり、スタッカー５０を使用しないときにコンパクトに収納可能である。
【００４９】
また、図１，４に示す収納状態Ｓ３において先端保持部７２を排出側へ引くことにより
、先端保持部の基部５２が収納位置Ｌ１から使用位置Ｌ２の方へスライドしていくととも
に、先端保持部７２が回転軸５４を中心としてスライド方向Ｄ１からずれる向きへ回動し
ながら使用位置Ｌ２の方へ移動する。このため、シート部材の先端部６６がシート部材の
末端部６５から離れていき、先端保持部７２の延出方向Ｄ１０と基部５２のスライド方向
Ｄ１とのなす角度θが大きくなる。第二接続部保持部７３と末端保持部７１との位置関係
は維持される結果、実質的にシート部材６０における第二接続部６３と末端部６５との位
置関係が維持される。
【００５０】
このとき、基部５２に留められた紐７４が緩むので、シート部材の接続部６４が先端部
６６に引っ張られて排出側へ移動する。これにより、折り畳まれたシート部材６０が展開
していく。使用状態Ｓ１においては、先端保持部７２の延出方向Ｄ１０と基部５２のスラ
イド方向Ｄ１とのなす角度θがさらに大きくなり、傾動機構７５の係合部７５ｅから係止
部７２ｄ（又は係止部７２ｅ）が係合する。これにより、柔軟性を有するシート部材６０
に傾斜面６１ａ及び湾曲面６２ａが形成される。従って、本記録装置１は、スタッカー５
０を準備するのが容易である。
【００５１】
（３）変形例：
なお、本発明は、種々の変形例が考えられる。
例えば、記録装置は、複数の被記録媒体を切り替えて記録を行う装置以外にも、一つの
被記録媒体に記録を行う装置でもよい。
シート部の末端部を保持する末端保持部は、上述した掛止部５５ｂと紐６５ａの組合せ
以外にも、シート部の末端部に形成された挿通部に通される棒状又は筒状の長尺部材等で
もよい。この長尺部材は、ガイド部材５５、脚部４０、筐体１０、等に設けることが可能
である。
シート部の先端部を保持する先端保持部は、上述した架橋部７２ｃを有する先端保持部
７２以外にも、シート部の先端部に設けた紐と掛止部材との組合せ等でもよい。この掛止
部材は、ガイド部材５５、脚部４０、筐体１０、等に設けることが可能である。
第二接続部を保持する第二接続部保持部は、上述した掛止部７５ｄと紐６３ａの組合せ
以外にも、接続部に形成された挿通部に通される棒状又は筒状の長尺部材等でもよい。こ
の長尺部材は、傾動機構７５、ガイド部材５５、脚部４０、筐体１０、等に設けることが
可能である。
【００５２】
傾斜面と湾曲面との第二接続部６３が排出部１７の直下（鉛直面Ｖ１と重なる位置）に
ある場合や、第二接続部６３が排出部１７の直下から排出側にある場合も、記録済媒体を
より好適にスタック可能な効果が得られる。第二接続部６３が排出部１７の直下から排出
側にある変形例は、記録済媒体Ｒ４をさらに好適にスタック可能となる。
基部５２がスライド方向Ｄ１へスライドするときに第二接続部保持部７３と末端保持部
７１との位置関係が維持されると媒体受け部を容易に出し入れすることができるので好適
であるものの、第二接続部保持部７３と末端保持部７１とが近付くなど前記位置関係が維
持されなくても柔軟性を有するシート部を容易に収納可能な効果が得られる。
上述した第二接続部６３があると記録済媒体をより好適にスタックすることができるの
で好適であるものの、第二接続部が無くても柔軟性を有するシート部を容易に収納可能な
効果が得られる。
基部５２が使用位置Ｌ２から収納位置Ｌ１の方へスライドするときにシート部の先端部
６６とシート部の末端部６５とが近付く範囲内で末端部６５が移動しても、シート部を容
易に収納可能な効果が得られる。
【００５３】
上述した傾動機構があると収納位置と使用位置とで先端保持部の向きを変えることがで
きるので好適であるもの、傾動機構が無くてもシート部を容易に収納可能な効果が得られ
る。
さらに、上述したレールが筐体下方の脚部に設けられると筐体下方の空間を記録済媒体
のスタック空間として利用することができるので好適であるものの、レールが筐体に設け
られてもシート部を容易に収納可能な効果が得られる。むろん、媒体受け部の先端保持部
の基部をスライド可能にする手段には、上記レール以外にも、例えば、長尺な筒状部材に
棒状部材を挿入する構造等、種々の手段を採用することができる。
【００５４】
図１０，１１は、繋ぎ部として硬質の延長部材１７４を用いた変形例を示している。延
長部材１７４は、長手方向をスライド方向Ｄ１へ向けてレール４５に沿ってスライドする
部材であり、シート部材６０の接続部６４と先端保持部７２の基部５２とを繋いでいる。
【００５５】
図１０に示す使用状態Ｓ１において枠状の先端保持部７２を筐体１０側へ動かすことよ
り、基部５２が使用位置Ｌ２から収納位置Ｌ１の方へスライドし、先端保持部７２がスラ
イド方向Ｄ１に沿った向きへ回動し、シート部材の先端部６６がシート部材の末端部６５
に近付く。また、シート部材６０において延長部材１７４により基部５２に繋がった接続
部６４が筐体１０側へ移動する。これにより、シート部材６０の余り（湾曲部６２）が収
納位置からはみ出ることが抑制され、シート部材６０を容易に収納することが可能となる
。
一方、図１１に示す収納状態Ｓ３において先端保持部７２を排出側へ引くことにより、
基部５２が収納位置Ｌ１から使用位置Ｌ２の方へスライドし、先端保持部７２がスライド
方向Ｄ１からずれる向きへ回動し、シート部材の先端部６６がシート部材の末端部６５か
ら離れていく。また、シート部材６０において延長部材１７４により基部５２に繋がった
接続部６４が排出側へ移動する。これにより、折り畳まれたシート部材６０が展開し、シ
ート部材６０に傾斜面６１ａ及び湾曲面６２ａが形成される。
【００５６】
（４）結び：
以上説明したように、本発明によると、種々の態様により、柔軟性を有するシート部材
を容易に収納することが可能な技術等を提供することができる。むろん、従属請求項に係
る構成要件を有しておらず独立請求項に係る構成要件のみからなる技術等でも、上述した
基本的な作用、効果が得られる。
また、上述した実施形態及び変形例の中で開示した各構成を相互に置換したり組み合わ
せを変更したりした構成、公知技術並びに上述した実施形態及び変形例の中で開示した各
構成を相互に置換したり組み合わせを変更したりした構成、等も実施可能である。本発明
は、これらの構成等も含まれる。
【符号の説明】
【００５７】
１…記録装置、１０…筐体、１２…記録部、１７…排出部、２１，３１…繰り出し機構（
媒体支持部）、４０…脚部、４１…長尺部、４５…レール、５０…スタッカー（媒体受け
部）、５２…基部、５２ａ…架橋部、５２ｂ…掛止部、５３…スライダー、５４…回転軸
、５５…ガイド部材、５５ａ…先端規制部、５５ｂ…掛止部、６０…シート部材（シート
部）、６１…傾斜部、６１ａ…傾斜面、６２…湾曲部、６２ａ…湾曲面、６３…第二接続
部、６３ａ…紐、６４…接続部、６５…末端部、６５ａ…紐、６６…先端部、６６ａ…挿
通部、６７…最下部、７１…末端保持部、７２…先端保持部、７２ａ…側部、７２ｃ…架
橋部、７２ｄ，７２ｅ…係止部、７３…第二接続部保持部、７４…紐（繋ぎ部）、７５…
傾動機構、７５ａ…挿通部、７５ｂ…外側部材、７５ｃ…内側部材、７５ｄ…掛止部、７
５ｅ…係合部、１７４…延長部材、Ｄ１…スライド方向、Ｄ２…離間方向、Ｄ３…近接方
向、Ｄ４…排出方向、Ｄ７…幅方向、Ｄ１０…延出方向、Ｌ１…収納位置、Ｌ２…使用位
置、Ｒ１，Ｒ２…ロール紙、Ｒ３…被記録媒体、Ｒ４…記録済媒体、Ｒ５…先端部、Ｒ６
…後端部。
【図１】
2015189559.tif 000003
【図２】
2015189559.tif 000004
【図３】
2015189559.tif 000005
【図４】
2015189559.tif 000006
【図５】
2015189559.tif 000007
【図６】
2015189559.tif 000008
【図７】
2015189559.tif 000009
【図８】
2015189559.tif 000010
【図９】
2015189559.tif 000011
【図１０】
2015189559.tif 000012
【図１１】
2015189559.tif 000013
【図１２】
2015189559.tif 000014